(57)【要約】【課題】マンションのベランダなどで好適に使用でき、布団などの大型の干し物をするのにも安定感のある物干し台を提供する。【解決手段】第一の支柱と、この第一の支柱に取り付けられた竿掛け具と前記第一の支柱の下端から水平に延設された脚部とこの脚部の先端に立設され竿かけ具の先端を支持する第二の支柱からなり、第一の支柱は上側支柱と下側支柱からなり、上側支柱と下側支柱は伸縮自在となされ適宜伸縮位置で固定可能となされ、第一の支柱の上端が軒裏などに、下端が床面に当接されるようになされ、第一の支柱の上下端が当接された状態で、第一の支柱長さを伸張させ、第一の支柱が上下面に圧着されるようになされたことを特徴とするもので、竿掛け具を支持する第一の支柱の上下端が圧着されているので水平方向の応力がかかっても倒れにくく、竿掛け具が第一の支柱と第二の支柱に支持されているので、布団などの大型の干し物を干しても安定である。【選択図】        図１
2006340875.tif 000002
【特許請求の範囲】
【請求項１】
第一の支柱と、この第一の支柱に取り付けられた竿掛け具と前記第一の支柱の下端から水平に延設された脚部とこの脚部の先端に立設され竿かけ具の先端を支持する第二の支柱からなり、第一の支柱は上部支柱と下部支柱からなり、上部支柱と下部支柱は伸縮自在となされ適宜伸縮位置で固定可能となされ、第一の支柱の上端が軒裏などに、下端が床面に当接されるようになされ、第一の支柱の上下端が当接された状態で、第一の支柱長さを伸張させ、第一の支柱が上下面に圧着されるようになされたことを特徴とする物干し台。
【請求項２】
支柱の下端に円筒形の回動凸部が設けられ、脚部にこの回動凸部に対応する半円筒形の回動受け部が設けられていることを特徴とする請求項１記載の物干し台。
【発明の詳細な説明】
【技術分野】
【０００１】
本発明は、洗濯物や布団などを乾燥させるための物干し台に関し、特にマンションなどの中高層住宅のベランダなどで好適に使用できる物干し台に関する。
【背景技術】
【０００２】
従来、本出願人は、特開平８−１８７３９４号公報にベランダなどの床面と軒裏とを突っ張って取り付ける物干し台を提案している。この物干し台は、左右の支柱と、この左右の支柱に取り付けられた竿掛け具とからなる物干し台であって、前記左右の支柱は上側支柱と下側支柱とからなり、この上側支柱と下側支柱が伸縮自在に連結され、上側支柱の上端と下側支柱の下端にはそれぞれ上側圧着片と下側圧着片が取り付けられ、上側圧着片と上側支柱との間、上側支柱と下側支柱との間、下側支柱と下側圧着片との間の少なくともいずれかがスプリングバネを介して連結され、前記竿掛け具の縦孔の中に上側支柱または下側支柱が貫通されて上側支柱または下側支柱に竿掛け具が取り付けられているものである。
【０００３】
又、特開２００３−５３０９９号公報に於いて、一対の支柱杆の上端間に亘って物干し杆が架設されて第１の物干し部となされ、この第１の物干し部が脚杆上に配設されてなる物干し台において、脚杆上の第１の物干し部の基端近傍に第２の物干し部が回動自在に設けられたもので、不使用時第２の物干し部を第１の物干し部の方に回動させることによりコンパクトになる物干し台を提案している。
【特許文献１】特開平８−１８７３９４号公報
【特許文献２】特開２００３−５３０９９号公報
【発明の開示】
【発明が解決しようとする課題】
【０００４】
しかしながら上記の如き、特開平８−１８７３９４号公報に提案している物干し台においては、左右の支柱と、この左右の支柱に取り付けられた竿掛け具とからなるもので、不使用時には物干し竿をはずすと場所をとらず、マンションのベランダなどでの使用には好適であるが、布団などの大型の干し物をするには稍々不安定であるという問題があった。
【０００５】
又、特開２００３−５３０９９号公報に提案されている物干し具に於いては、布団などの大型の干し物をするときにも十分な安定性があるものの、左右の支柱取り付け部を連結する連結杆が邪魔になり易いといった問題があった。又、マンションのベランダなどで、床面に水勾配があるところでは、安定性に稍々欠けるという問題があった。
【０００６】
そこで本発明者は従来の欠点に鑑み鋭意研究の結果、マンションのベランダなどで好適に使用でき、布団などの大型の干し物をするのにも安定感のある物干し台を提供する。
【課題を解決するための手段】
【０００７】
本発明請求項１記載の物干し台は、第一の支柱と、この第一の支柱に取り付けられた竿掛け具と前記第一の支柱の下端から水平に延設された脚部とこの脚部の先端に立設され竿掛け具の先端を支持する第二の支柱からなり、第一の支柱は上部支柱と下部支柱からなり、上部支柱と下部支柱は伸縮自在となされ適宜伸縮位置で固定可能となされ、第一の支柱の上端が軒裏などに、下端が床面に当接されるようになされ、第一の支柱の上下端が当接された状態で、第一の支柱長さを伸張させ、第一の支柱が上下面に圧着されるようになされたことを特徴とするもので、竿掛け具を支持する第一の支柱の上下端が圧着されているので水平方向の応力がかかっても倒れにくく、竿掛け具が第一の支柱と第二の支柱に支持されているので、布団などの大型の干し物を干しても安定である。
【０００８】
本発明請求項２記載の物干し台は、支柱の下端に円筒形の回動凸部が設けられ、脚部にこの回動凸部に対応する半円筒形の回動受け部が設けられているので、床面の傾斜に応じて、脚部に対して、支柱を角度をつけて設けることができる。
【発明の効果】
【０００９】
本発明請求項１記載の物干し台は、第一の支柱と、この左右の第一の支柱に取り付けられた竿掛け具と前記第一の支柱の下端から水平に延設された脚部とこの脚部の先端に立設され竿掛け具の先端を支持する第二の支柱からなり、第一の支柱は上部支柱と下部支柱からなり、上部支柱と下部支柱は伸縮自在となされ適宜伸縮位置で固定可能となされ、第一の支柱の上端が軒裏などに、下端が床面に当接されるようになされ、第一の支柱の上下端が当接された状態で、第一の支柱長さを伸張させ、第一の支柱が上下面に圧着されるようになされたことを特徴とするもので、竿掛け具を支持する第一の支柱の上下端が圧着されているので水平方向の応力がかかっても倒れにくく、竿掛け具が第一の支柱と第二の支柱に支持されているので、布団などの大型の干し物を干しても安定である。
【００１０】
又、発明請求項２記載の物干し台は、支柱の下端に円筒形の回動凸部が設けられ、脚部にこの回動凸部に対応する半円筒形の回動受け部が設けられているので、床面の傾斜に応じて、脚部に対して、支柱を角度をつけて設けることができるので、ベランダなどの水勾配が設けられた床面でも安定して設置することができる。
【発明を実施するための最良の形態】
【００１１】
以下、図面を参照しながら本発明に付いて説明する。
図１は本発明物干し台の実施形態の一例を示す斜視図である。
図面において１は第一の支柱であって、脚部２の基端に立設されている。第一の支柱１は下部支柱１２とこの下部支柱１２に伸縮自在となされた上部支柱１１からなっている。上部支柱１１はソケット１３を介して下部支柱１２に伸縮自在に挿入されている。このソケット１３には、ねじが螺入されており、上部支柱１１の側壁をこのねじの先端が貫通することにより、上部支柱１１と下部支柱１２が固定される。本発明における支柱は、鋼管に合成樹脂が被覆された合成樹脂被覆鋼管やステンレス鋼管、アルミ合金管などの材料が適宜用いられる。
【００１２】
脚部２の先端には第二の支柱３が立設され、この第二の支柱３の上端と下部支柱１２の中央部に亘って、竿掛け具４が設けられ、この竿掛け具４の側壁を貫通する竿受け部４１に物干し竿が挿通されて、干し物がかけられるようになされている。この例では物干し竿が挿通される竿受け部４１はそれぞれの竿掛け具４に３個設けられているが、適宜数の竿受け部が設けられればよい。竿掛け具４は第一の支柱１と第二の支柱３に支持されているので、布団などの重い干し物を干したときにも竿掛け具４が傾いたりすることが無く安定がよい。本発明における脚部２は合成樹脂成型品やアルミ合金ダイカストなど適宜材料から作成されればよいが、ＡＢＳ樹脂やポリ塩化ビニルなどの合成樹脂から好適に作製される。又、この例では脚部２の両端に第一の支柱１と第二の支柱３が連設された例を示したが、これに限るものではなく、それぞれの支柱の下端に別体の脚部２が設けられてもよい。
【００１３】
第一の支柱１の上端には圧着フランジ１４が設けられ、この圧着フランジ１４がベランダの軒裏に当接され、支柱の下端に設けられた脚部２と協働して、物干し台が固着される。第一の支柱１の下端部には圧着調整ねじ１５が設けられ、第一の支柱１の上下端が当接された後支柱を伸張し、圧着をより強固なものにすることができる。圧着フランジ１４の軒裏などとの当接面にはゴムシートなどが貼設され、接触強度を安定させている。
【００１４】
図２は支柱が無い状態での脚部２を示す平面図であり、図３は支柱下端の回動凸部１６が設けられた状態でのＡ−Ａ部の断面図である。又、図４はＢ−Ｂ部の断面図である。
脚部２の上面には支柱下端に設けられた回動凸部１６を回動可能に支持する回動受け部が形成されている。脚部２の両端に平面視円形に設けられた凹部の中央が仕切られ、円筒形の凹部が形成されて回動受け部となされている。この回動受け部に支柱下端の円筒形の回動凸部１６が挿入されると脚部２の回動受け部に対して支柱の回動凸部１６が回動可能となされ、ベランダなどに水勾配があっても支柱を垂直に立設することができる。
【図面の簡単な説明】
【００１５】
【図１】本発明物干し台の実施形態の一例を示す斜視図である。
【図２】本発明に於ける物干し台における支柱が無い状態での脚部を示す平面図である。
【図３】本発明物干し台における支柱下端の回動凸部が設けられた状態でのＡ−Ａ部の断面図である。
【図４】本発明物干し台におけるＢ−Ｂ部の断面図である。
【符号の説明】
【００１６】
１    第一の支柱
１１  上部支柱
１２  下部支柱
１３  ソケット
１４  圧着フランジ
１５  圧着調整ねじ
１６  回動凸部
２    脚部
２１  回動受け部
３    第二の支柱
４    竿掛け具
４１  竿受け部
【図１】
2006340875.tif 000003
【図２】
2006340875.tif 000004
【図３】
2006340875.tif 000005
【図４】
2006340875.tif 000006